(57)【要約】【課題】個人情報が再生不可能であることを携帯端末の元の所有者に確認させることができ、無人の回収拠点でも対応可能な破壊回収装置を提供する。【解決手段】携帯端末の破壊回収装置は、対象とする携帯端末の投入が可能なように筐体１に設けられた投入口２と、筐体１の内部に設けられ、携帯端末を破砕したい者のスイッチ操作によって起動し、投入口２から投入された携帯端末を破砕する粗破砕部３および細破砕部５と、筐体１の内部に設けられ、粗破砕部３および細破砕部５によって生じた破砕物を受ける回収箱７と、筐体１に設けられ、粗破砕部３および細破砕部５によって破砕され回収箱７に落下する破砕物を筐体外部から目視可能な確認用窓９とを備える。【選択図】  図１
2015217348.tif 000002
【特許請求の範囲】
【請求項１】
対象とする携帯端末の投入が可能なように筐体に設けられた投入口と、
前記筐体の内部に設けられ、携帯端末を破砕したい者のスイッチ操作によって起動し、前記投入口から投入された携帯端末を破砕する破砕手段と、
前記筐体の内部に設けられ、前記破砕手段によって生じた破砕物を受ける回収箱と、
前記筐体に設けられ、前記破砕手段によって破砕され前記回収箱に落下する破砕物を筐体外部から目視可能な確認用窓とを備えることを特徴とする携帯端末の破壊回収装置。
【請求項２】
請求項１記載の携帯端末の破壊回収装置において、
前記破砕手段は、破砕サイズ別に複数段設けられ、これら複数段の破砕手段は、破砕サイズが大きい方から順に並ぶように配置され、
さらに、前記筐体の内部の各破砕手段の後段に、前段の破砕手段によって生じた破砕物を大きい物と小さい物に選別して小さい物を次段に排出する複数の篩を備え、
各破砕手段の破砕サイズと各篩の篩目のサイズとは、最終段の破砕手段によって破砕され最終段の篩の篩目を通過して前記回収箱に落下する破砕物が、溶液法により金属の抽出が可能なサイズの粒子となるように設定されることを特徴とする携帯端末の破壊回収装置。
【発明の詳細な説明】
【技術分野】
【０００１】
本発明は、使用済みの携帯端末を破壊、回収する破壊回収装置に関するものである。
【背景技術】
【０００２】
携帯電話機やタブレット型端末などの携帯端末には、金などの貴金属をはじめ、インジウムなどのレアメタルが含まれるためリサイクルによる資源回収が重要である。また、液晶ディスプレイなどの部品の再利用も環境負荷削減の観点からは有益である。しかしながら、顧客が不要になった後も携帯端末を自宅などに保管しているため、使用済の携帯端末の回収量は近年、低迷している。一方、現在の回収方法は、有人の販売店などで、携帯端末を預かり、顧客の目前で穿孔機を用いて携帯端末を機械的に破壊し、再使用できないことを確認させるというものである。このような回収方法を採る理由は、携帯端末に多くの個人情報が保管されており、この個人情報を携帯端末から消去することは技術的には可能であるものの、携帯端末を機械的に破壊することで顧客に個人情報が再生不可能であることを証明するためであった。
【０００３】
携帯端末を機械的に破壊する工具としては、手動で円錐状のパンチにより機械的に破壊する携帯端末破壊工具が提案されている（特許文献１）。また、曲げ破壊により携帯端末を破壊する破壊機も提案されている（特許文献２）。さらには、携帯端末にひびを入れ、つぶしながら巻き込むローラーにより破壊する小型破砕機も提案されている（特許文献３）。
【０００４】
しかしながら、特許文献１に開示された携帯端末破壊工具を用いるためには、有人の回収拠点で携帯端末を預かる必要があった。また、表面全面に液晶表示部がある携帯端末を携帯端末破壊工具を用いて破壊する場合、破壊時に部品が飛散し、作業者の安全性が完全に担保されない場合があった。特許文献２に開示された破壊機を使用すれば、穿孔により破壊する、特許文献１に記載の携帯端末破壊工具よりも、不必要な破壊が起こらず、リサイクル可能な部品等は増えるが、この破壊機も有人の回収拠点で用いる必要がある。特許文献３に開示された小型破砕機によれば、安全に携帯端末を破壊し、かつ顧客に携帯端末の再使用ができないことを目視させることができるが、携帯端末を押しつぶすことで、筐体等が変形し、さらに様々な部品、材料が混ざり合ってしまうことから、その後のリサイクル工程での分別が煩雑になる可能性が高かった。
【先行技術文献】
【特許文献】
【０００５】
【特許文献１】特開２００５−６４６２９号公報
【特許文献２】特開２０１１−２４９９９９号公報
【特許文献３】特開２０１１−１７３１０８号公報
【発明の概要】
【発明が解決しようとする課題】
【０００６】
資源の有効利用の観点から、使用済の携帯端末の回収率を向上させるためには、有人のみならず無人の回収拠点を増やすことが必須である。しかし、特許文献１〜３に開示されたような現状の機械的な破壊方法では、有人の回収拠点でしか対応できないという制約があった。さらに、表面全面に液晶表示部がある携帯端末を機械的に破壊すると、破壊時に部品が飛散し、作業者の安全性が完全に担保されない可能性があった。使用済みの携帯端末の回収率を向上させるためには、回収後、個人情報が破壊されることを顧客に確認させることができ、無人でも対応可能な破壊回収装置が望まれていた。
【０００７】
本発明は、上記課題を解決するためになされたもので、携帯端末が完全に破壊され、携帯端末に記録された個人情報が再生不可能であることを携帯端末の元の所有者に確認させることができ、無人の回収拠点でも対応可能な破壊回収装置を提供することを目的とする。
【課題を解決するための手段】
【０００８】
本発明の携帯端末の破壊回収装置は、対象とする携帯端末の投入が可能なように筐体に設けられた投入口と、前記筐体の内部に設けられ、携帯端末を破砕したい者のスイッチ操作によって起動し、前記投入口から投入された携帯端末を破砕する破砕手段と、前記筐体の内部に設けられ、前記破砕手段によって生じた破砕物を受ける回収箱と、前記筐体に設けられ、前記破砕手段によって破砕され前記回収箱に落下する破砕物を筐体外部から目視可能な確認用窓とを備えることを特徴とするものである。
また、本発明の携帯端末の破壊回収装置の１構成例において、前記破砕手段は、破砕サイズ別に複数段設けられ、これら複数段の破砕手段は、破砕サイズが大きい方から順に並ぶように配置され、さらに、前記筐体の内部の各破砕手段の後段に、前段の破砕手段によって生じた破砕物を大きい物と小さい物に選別して小さい物を次段に排出する複数の篩を備え、各破砕手段の破砕サイズと各篩の篩目のサイズとは、最終段の破砕手段によって破砕され最終段の篩の篩目を通過して前記回収箱に落下する破砕物が、溶液法により金属の抽出が可能なサイズの粒子となるように設定されることを特徴とするものである。
【発明の効果】
【０００９】
本発明によれば、携帯端末を無人で破砕、回収することができる。また、本発明では、破砕手段と回収箱とを筐体の内部に設けているため、破砕物が筐体の外に飛散せず、安全である。さらに、確認用窓から破砕工程が目視できるため、携帯端末に記録された個人情報が再生不可能であることを携帯端末の元の所有者に確認してもらうことができる。この結果、無人の回収拠点に本実施の形態の破壊回収装置を設置することができ、携帯端末の回収量を増やし、リサイクルによる資源循環を促進することが期待できる。本発明では、携帯端末の破砕により微粒子が得られるため、リサイクル工程での処理が容易となり、全体として、回収およびリサイクルに関わるコストを削減することができる。
【図面の簡単な説明】
【００１０】
【図１】本発明の第１の実施の形態に係る携帯端末の破壊回収装置の内部構造を示す概略図および携帯端末の破壊回収装置の外観図である。
【発明を実施するための形態】
【００１１】
以下、本発明の実施の形態について図面を参照して説明する。図１（Ａ）は本発明の第１の実施の形態に係る携帯端末の破壊回収装置の内部構造を示す概略図、図１（Ｂ）は本発明の第１の実施の形態に係る携帯端末の破壊回収装置の外観図である。本実施の形態の破壊回収装置は、筐体１と、筐体１の表面に設けられた投入口２と、筐体１の内部に設けられ、投入口２から投入された携帯端末を破砕する粗破砕部３（破砕手段）と、筐体１の内部の粗破砕部３の下段に設けられ、粗破砕部３によって生じた破砕物を大きい物と小さい物に選別する篩４と、筐体１の内部の篩４の下段に設けられ、篩４を通過した小さい物を粗破砕部３よりも細かく破砕する細破砕部５（破砕手段）と、筐体１の内部の細破砕部５の下段に設けられ、細破砕部５によって生じた破砕物を大きい物と小さい物に選別する篩６と、筐体１の内部の篩６の下段に設けられ、篩６を通過した粒子を受ける回収箱７と、筐体１の表面に設けられ、粗破砕部３と細破砕部５と篩４，６とを起動させるスイッチ８と、細破砕部５によって生じた破砕物を目視可能な確認用窓９とを備えている。
【００１２】
以下、本実施の形態の携帯端末（物体）の破壊回収装置の動作を説明する。本実施の形態では、携帯電話機などの携帯通信機器やタブレット型端末などの携帯情報機器を破砕・回収の対象となる物体としており、これら携帯通信機器や携帯情報機器を総称して携帯端末と呼ぶ。
【００１３】
携帯端末を廃棄したい所有者は、携帯端末を破壊回収装置の投入口２に入れる。投入口２は、対象としている携帯端末よりも若干大きい程度の必要最小限の面積の狭い開口部として設定されており、投入された携帯端末の再取り出しができ難いような面積に設定されている。
【００１４】
投入口２から投入された携帯端末は、筐体１の内部の粗破砕部３の位置まで落ちる。携帯端末を廃棄したい所有者がスイッチ８をオンにすると、粗破砕部３と細破砕部５と篩４，６とが起動する。粗破砕部３は、投入口２から投入された携帯端末を破砕する。
粗破砕部３によって生じた破砕物は、筐体１の内部の篩４の位置まで落ちる。篩４は、電動モータによって振動したり回転したりして、破砕物を篩目よりも大きい物と篩目以下の小さい物に選別する。篩目よりも大きい物は篩４の中に残り、篩目以下の小さい物は篩目を通過して筐体１の内部の細破砕部５の位置まで落ちる。
【００１５】
細破砕部５は、篩４から排出された物を粗破砕部３よりも細かく破砕する。粗破砕部３と細破砕部５としては、電動モータで動く破砕刃やチェーン、ローラ等で携帯端末を破砕する周知の破砕機が使用できるが、上記のとおり粗破砕部３よりも細破砕部５の方が破砕サイズが小さくなるように破砕機が選定されている。具体的には、溶液法により金属の抽出が可能なサイズの細粒、例えば直径１ｍｍ以下の粒子の破砕物が生じるように、細破砕部５となる破砕機を選定しておくことが望ましい。
【００１６】
細破砕部５によって生じた破砕物は、筐体１の内部の篩６の位置まで落ちる。篩６は、電動モータによって振動したり回転したりして、破砕物を篩目よりも大きい物と篩目以下の小さい物に選別する。篩目よりも大きい物は篩６の中に残り、篩目以下の小さい物は篩目を通過して筐体１の内部の回収箱７の中に落ちる。篩６の篩目のサイズは、篩４の篩目のサイズよりも小さく、具体的には溶液法により金属の抽出が可能なサイズの細粒、例えば直径１ｍｍ以下の粒子の破砕物が篩目を通過して回収箱７の中に落ち、これよりも大きい破砕物が篩６の中に残るように設定されている。
【００１７】
また、少なくとも篩６と回収箱７の横の位置の筐体１には、透明の確認用窓９が設けられており、細破砕部５によって破砕され篩６の篩目を通過して回収箱７に落下する破砕物を携帯端末の元の所有者が目視で確認できるようになっている。
筐体１は、破砕物が飛散しても筐体外部に飛び出さない強度を有することが望ましい。また、粗破砕部３と細破砕部５と篩４，６とがモータによって動く音や、粗破砕部３と細破砕部５とで破砕される携帯端末によって生じる音、篩４，６の中で動く破砕物によって生じる音などを、筐体１の外から携帯端末の元の所有者が聞き取れるように筐体設計がなされていることが望ましい。
【００１８】
破砕物を回収する業者が筐体１に設けられた扉（不図示）を開くことによって篩４，６の中に残った破砕物と回収箱７の中に落ちた破砕物を回収することができる。こうして、篩４の中に残った物と篩６の中に残った物と回収箱７の中に落ちた物の３種類に破砕物を大きさ別に選別することができる。回収業者以外の者が筐体１の扉を開くことができないように扉には鍵がかけられていることは言うまでもない。
【００１９】
本実施の形態の破壊回収装置に携帯電話機をサンプルとして投入し、破砕処理を行った結果、回収箱７から１ｍｍ以下の粒子の破砕物を回収できた。この回収した細粒は、溶液法により金属の抽出が可能であることを確認した。
【００２０】
以上のように、本実施の形態では、携帯端末を無人で破砕、回収することができる。また、本実施の形態では、粗破砕部３と細破砕部５と篩４，６とを筐体１の内部に設けているため、破砕物が筐体１の外に飛散せず、安全である。さらに、確認用窓９から破砕工程が目視できるため、携帯端末に記録された個人情報が再生不可能であることを携帯端末の元の所有者に確認してもらうことができる。この結果、無人の回収拠点に本実施の形態の破壊回収装置を設置することができ、携帯端末の回収量を増やし、リサイクルによる資源循環を促進することが期待できる。
【００２１】
なお、本実施の形態では、破砕部を破砕サイズ別に２段設け、２段の破砕部を、破砕サイズが大きい方から順に並ぶように配置し、同様に篩を篩目のサイズ別に２段設け、２段の篩を、篩目のサイズが大きい方から順に並ぶように配置しているが、これに限るものではなく、破砕部と篩とをそれぞれ３段以上設けてもよい。
【００２２】
また、粗破砕部３と細破砕部５と篩４，６とはスイッチ８をオフにすれば動作を停止するが、スイッチ８のオンによる起動から一定時間後に自動的に停止してスイッチ８が自動的にオフになるようにしてもよい。
【産業上の利用可能性】
【００２３】
本発明は、使用済の携帯端末を回収する技術に適用することができる。
【符号の説明】
【００２４】
１…筐体、２…投入口、３…粗破砕部、４，６…篩、５…細破砕部、７…回収箱、８…スイッチ、９…確認用窓。
【図１】
2015217348.tif 000003